Podtech/llm-jp-corpus-v4-ja_patent huggingface dataset:
(57)【要約】【課題】アモス・オリ博士のタイムマシンの重力波の加工不能を最新科学で完璧にする。【解決手段】重力波が科学的に観測され、それをレーザーのように位相のそろった波にするには内部重力波の可視法や慣性重力波の位相変調といった最新技術でアモス・オリ博士のタイムマシン製造を実現する。【選択図】なし【特許請求の範囲】
【請求項１】
（イ）疑以時間閉曲線（ＣＴＣ）と同じ働きをするものを単独で以下のように作る。
（ロ）時空の構造は光円錐という図形で象徴的に描かれる。
（ハ）我々の存在する「今・ここ」という点を原点に、縦に「時間」、横に「空間」の座標軸をとり、「今・ここ」から４５度の傾きで４方向に線を引く。これが、時空を絶対速度（誰がどんな立場で観測しても一定の速度）で進む光の線であり、「光の世界線」と呼ぶ。そして、光の世界線を時間軸のまわりに回転させると、過去と未来に向かって広がる円錐ができる。これが光円錐だ。
（二）宇宙のあらゆる観測者にとって、過去と未来の出来事はすべてこの光円錐の中にある。また、光は有限の速度しか持たないから、たとえ１センチしか離れてなくても自分の隣にいる人はその人だけの光円錐を持ち、その絶対独立性は誰にも破れない。
（ホ）ところが、高速で自転する巨大な質量が存在すると、その重力場によって、質量周辺の時空が引きずられ、光円錐が傾いて、自分の未来の領域が隣の光円錐の過去の領域につながってしまう、あるいは自分の過去に他人の未来がつながってしまう、という状況が起こる。こうしてできるひとつながりのループが、ＣＴＣでこの線をたどっていけば未来や過去へ移動できるわけだ。
（ヘ）ただし、このようなＣＴＣを作るためには、太陽系全部に匹敵するような質量を圧縮し、直径１キロメートル、長さ１０キロメートルほどの円筒にまとめ、それを光速の５０パーセントほどの速度で回転させなければならない。そこでアモス・オリ博士は、それに代わる方法として重力波をレーザーのように位相のそろった波に変換して真空の狭い領域に集中照射し、その部分だけ光円錐を連続的に傾けてＣＴＣと同じ効果を生み出すという方法を提案し、いわば重力場がリング、ドーナツ形タイムマシンで時間旅行の際には、宇宙船でドーナツの「穴」に飛び込み、時間軸をたどって（遡って）進み好きなところで出る。
（ト）重力波が科学的に観測され、それをレーザーのように位相のそろった波にするには内部重力波の可視法や慣性重力波の位相変調といった最近の技術でこれらを実現する
以上の如くから成る内部重力波慣性重力波利用ＣＴＣドーナツ形タイムマシン。
【発明の詳細な説明】
【技術分野】
【０００１】  本発明は、完成した内部重力波慣性重力波利用ＣＴＣドーナツ形タイムマシンに関する。
【背景技術】
【０００２】  従来、アモス・オリ博士の発表したドーナツ形タイムマシンには重力波の観測とその位相のそろった波ができてなかった。（例えば非特許文献１参照。）。【０００３】
【非特許文献１】「ムー」２００６年２月号、伊藤哲郎、学習研究社、１２４から１２９頁
【非特許文献２】「日経サイエンス」１９９４年５月号日経サイエンス社６４から７６頁、
【発明の開示】
【発明が解決しようとする課題】
【０００４】  従来、アモス・オリ博士の発表したドーナツ形タイムマシン製造には重力波の観測とその位相のそろった波ができてなかった。
【課題を解決するための手段】
【０００５】  重力波が科学的に観測され、それをレーザーのように位相のそろった波に内部重力波の可視法や慣性重力波の位相変調の技術で実現する。
【発明の効果】
【０００６】  技術的にタイムマシン製造が可能となる。
【発明を実施するための最良の形態】
【０００７】    疑似時間閉曲線（ＣＴＣ）と同じ働きをするものを単独で以下のように作る。時空の構造は光円錐という図形で象徴的に描かれる。我々の存在する「今・ここ」という点を原点に、縦に「時間」、横に「空間」の座標軸をとり、「今・ここ」から４５度の傾きで４方向に線を引く。これが、時空を絶対速度（誰がどんな立場で観測しても一定の速度）で進む光の線であり、「光の世界線」と呼ぶ。そして光の世界線を時間軸のまわりに回転させると、過去と未来に向かって広がる円錐が光円錐だ。宇宙のあらゆる観測者にとって、過去と未来の出来事はすべてこの光円錐の中にある。また、光は有限の速度しか持たないから、たとえ１センチしか離れてなくとも自分の隣にいる人はその人だけの光円錐を持ち、その絶対独立性は誰にも破れない。ところが、高速で自転する巨大な質量が存在すると、その重力場によって、質量周辺の時空が引きずられ、光円錐が傾いて、自分の未来の領域が隣の光円錐の過去の領域につながってしまう、あるいは自分の過去に他人の未来がつながってしまうひとつながりのループが、ＣＴＣでこの線をたどっていけば未来や過去へ移動できる。アモス・オリは重力波をレーザーのように位相のそろった波に変換して真空の狭い領域に集中照射し、いわば重力場がリング、ドーナツ形タイムマシンで時間旅行の際には、宇宙船でドーナツの「穴」に飛び込み、時間軸をたどって（遡って）進み好きなところで出る。重力波が科学的に観測され、それをレーザーのように位相のそろった波にするには内部重力波の可視法や慣性重力波の位相変調といった最新技術で成る内部重力波慣性重力波利用ＣＴＣドーナツ形タイムマシン。
【実施例】
【０００８】    上記の如く実施される。
【産業上の利用可能性】
【０００９】    この改良版は技術的に可能なレベルで当業者の製造も可能と解される。
(57)【要約】【課題】  外部からのエネルギー供給を必要とせず、内部に組み込んだ磁石の力を利用し、主軸に回転を与え続けることができるようにする。【解決手段】  主軸が回転すると本体の回転子に取り付けた磁石と主軸の円盤に取り付けた磁石が回転範囲の軌道上で近づいたり離れたりを繰り返す構造にし、お互いの向かい合う磁石の磁極を同局どうしとする。これにより近づいた時に磁石の反発力が発生し円盤が付勢され回転力が発生し主軸は回転する。このサイクルを繰り返すことにより主軸の回転を維持し続けることが可能になる。【選択図】  図３
2009124918.tif 000002
【特許請求の範囲】
【請求項１】
内部に回転軸を配設した筒状態からなる本体の中に主軸を組込み磁石の力を利用し主軸に回転する力を与え続けることのできる磁力回転維持装置において、前記主軸は主軸に歯車Ａと円盤が配設され、円盤には複数個の磁石を配設している。前記本体は主軸を支える軸受けと主軸と直角交差軸で交わる複数個の回転軸を配設し回転軸には歯車Ａの回転を伝える歯車Ｂと回転軸と一緒に回る回転子を配設している、また回転子にも磁石を複数個配設しており主軸が回転することにより回転子の磁石と円盤の磁石は回転範囲の軌道上で近づいたり離れたりする構造になっている。さらに前記磁力回転維持装置において、回転子の磁石と円盤の磁石の向かい合う磁石の磁極を同極どうしにすることによって回転子の磁石と円盤の磁石が近づいたときに反発力が生じ円盤が付勢され主軸が回転する仕組みになっている、また円盤の磁石と回転体の磁石は周期的に同じ位置に来るように調整しており、このサイクルを繰り返すことにより主軸の回転を維持することが出来る構造になっている磁力回転維持装置
【請求項２】
前記磁力回転維持装置の構造を、対にしたり磁石の位置を変更することで回転力を増すことが出来る請求項１記載の磁力回転維持装置
【発明の詳細な説明】
【技術分野】
【０００１】
外部からのエネルギー供給を必要とせず、内部に組み込んだ磁石の力を利用し、主軸に回転力を与え続けることの出来る磁力回転維持装置に関するものである。
【背景技術】
【０００２】
従来、モーターやタービン等は、外部からのエネルギー供給がないと回転を維持し続けることが出来なかった。
【発明の開示】
【発明が解決しようとする課題】
【０００３】
これは、次のような欠点があった。
従来、モーターやタービン等が回転を維持し続けるためには、外部から何らかのエネルギー供給が必要だった、
また、自然エネルギーを利用する場合は、設置場所や天候などの条件を必要としていた。
本発明は、以上のような欠点をなくすためになされたものである。
【課題を解決するための手段】
【０００４】
上記の目的を達成するために、本発明の磁力回転維持装置においては、
主軸が回転すると本体の回転子に取り付けた磁石と主軸の円盤に取り付けた磁石が回転範囲の軌道上で近づいたり離れたりする構造になっている。また回転子の磁石と円盤の磁石の向かい合う磁石の磁極を同極どうしとしているので近づいた時に反発し円盤が付勢され回転力が発生し主軸が回転する、このとき主軸に取り付けた歯車が本体に取り付けた歯車Ｂを回し回転子も連動して回る、
円盤の磁石と回転体の磁石は周期的に同じ位置にくるようにしており、このサイクルを繰り返すことにより主軸の回転を維持し続けることができる。
【発明の効果】
【０００５】
本発明は、一度回転を与えると外部からのエネルギー供給を必要とせず回転し続けることができるので、本発明そのものをエネルギー源として利用することができる。
また構造上、設置場所や天候等にもほとんど左右されず、さらに熱や排気ガスも出ないので安全に使用することができ、ＣＯ２削減等の地球温暖化防止や環境保全に大きく貢献することができる。
【発明を実施するための最良の形態】
【０００６】
以下に本発明を実施するための最良の形態について、図１、図２、図３を用いて説明する。
図１、図２において主軸（１）は主軸（１）に歯車Ａ（３）と円盤（２）を取り付け円盤（２）には磁石（４）を配設している。本体（８）には回転軸（６）を主軸（１）と直角交差軸で取り付けてあり、回転軸（６）には歯車Ａの回転を伝える歯車Ｂ（５）と回転子（７）を配設し、回転子（７）の端には磁石（４）を配設している。以上の構造により主軸（１）を回転させると円盤（２）に取り付けた磁石（４）と回転子（７）に取り付けた磁石（４）が回転範囲の軌道上で近づいたり離れたりする仕組みになっている。さらに回転子（７）の磁石（４）と円盤（２）の磁石（４）の向かい合う磁石の磁極は同極どうしとし、また回転子（７）の磁石（４）と円盤（２）の磁石（４）は周期的に同じ位置に来るように調整している。
【０００７】
さらに前記をふまえ作動行程を説明する。
最初に主軸（１）に回転を与えると円盤（２）と歯車Ａ（３）も回り同時に歯車Ｂ（５）に回転が伝わり回転軸（６）と回転子（７）が回る。すると回転子（７）の磁石（４）と円盤（２）の磁石（４）が近づく位置に来る、このとき回転体（７）の磁石（４）と円盤（２）の磁石（４）の間に磁力による反発力が生まれ円盤（２）を回転方向に付勢し主軸（１）を回転させる。結果回転を続け円盤（２）の磁石（４）と回転子（７）の磁石（４）は離れて行き主軸は慣性力で回転する、すると円盤（２）に配設した次の磁石（４）と回転子（７）に配設した次の磁石（４）が近づき円盤（２）を回転方向に付勢主軸が回る、このサイクルを繰り返すことにより主軸（１）の回転を維持し続けることができる。
【０００８】
なお前記実施形態において、図３のように対にしたり円盤（２）に取り付ける磁石（４）の位置を変更して反発するタイミングを変えることにより主軸（１）の回転力が増し効果的である。
【図面の簡単な説明】
【０００９】
【図１】磁力回転維持装置を横から見た断面図である。
【図２】磁力回転維持装置を正面から見た断面図である。
【図３】磁力回転維持装置をより効果的にした状態を横から見た断面図である
【符号の説明】
【００１０】
１主軸
２円盤
３歯車Ａ
４磁石
５歯車Ｂ
６回転軸
７回転子
８本体
【図１】
2009124918.tif 000003
【図２】
2009124918.tif 000004
【図３】
2009124918.tif 000005
(57)【要約】【課題】永久モーターを作る事【解決手段】モーターで電気を流して３枚の材料から電子をひきだす【特許請求の範囲】
【請求項１】
永久モーター
【発明の詳細な説明】
【技術分野】
【０００１】材料のちがう金属から電子をとりだす
【課題を解決するための手段】
【０００２】材質のちがう厚さ０．３ミリの銅板しんちゅう板リン青銅を３枚重ねてモーターから電気を流して発電する、電子のしくみは不明
【発明の効果】
【０００３】充電の電池が手にはいらないためモーターの回転だけですが３枚の材料でもかなりはやくモーターは回転しました
【図面の簡単な説明】
【０００４】
【図１】３枚の＋−の銅板しんちゅう板リン青銅板の材料にコンデンサーから電気を流す
【図１】
2009124930.tif 000002
(57)【要約】【課題】従来の電気自動車及びハイブリッド自動車の場合電気の供給方法は車両に蓄電池を積載して当該蓄電池から電気の供給をする方法が採られていたが遠距離走行の場合蓄電池の消耗に伴う電気の補給が必要になりこの作業を廃止することが出来れば電気自動車は経済的側面から人類に飛躍的発展をもたらす。【解決手段】自動車に発電機を搭載して自動車の部品及び付属機器を活用して発電機並びに充電器を稼動させる【選択図】図３
2009124929.tif 000002
【特許請求の範囲】
【請求項１】
電気自動車並びにハイブリツド自動車において発電機及び充電器を搭載して発電及び充電する場合
該自動車の車軸を発電機及び充電器の可動部品として共用し発、充電すること。
【請求項２】
請求項１の場合自動車のデフを利用して物体を回転させ其の場合発電機及び充電器を可動させる為当該回転物体を充・発電機を可動させる為当該充・発電機の可動部品として活用充・発電すること
【発明の詳細な説明】
【技術分野】
【０００１】本発明は電気自動車に関するものである
【背景技術】
【０００２】従来の電気自動車は蓄電池を積載して其の蓄電池から電気の供給を受ける方式が採用されているのに対して本発明は自動車に発電機並びに充電器を搭載して自動車が走行しながら発電及び充電し電気自動車の走行に必要な電気を自給しようとするものである【０００３】自動車の車輪の回転力を利用して発電並びに充電をしようとしたものがある（例えば、文献特開平６−１６９５０５号  公報  参照。）
以下、図    により従来の発・充電方式について説明する
図を見る限り充・発電の機構（オルタネーター）は車輪に連結されていなく車軸に連結されており説明と図面が食い違っている為説明不可能である【０００４】
【特許文献】特開６−１６９５０５号  公報
【発明の開示】
【発明が解決しようとする課題】
【０００５】充・発電機を自動車に搭載してもそれらを経済的に可動出来ないのでこれを経済的且つ合理的に可動させることである【０００６】以上述べた充・発電機を搭載して走行しながら充・発電機を経済的且つ合リ的に可動させることが出来ず現在に至ている【０００７】本発明はこのような従来の発明が有していた諸課題を解決するものであり充発電機の可動部分を自動車の車軸若しくは自動車のデフにより創出される回転軸を充・発電機の可動部品として活用して充・発電をおこない電気を供給し課題を解決するものである【０００８】本発明はこのような従来の発明が有していた諸課題を解決することを目的に考案されたものであり、発電機と充電器の可動軸を当該自動車の車軸、及び自動車のデフが創設する回転軸を活用することにより発電と充電が確実になされる【０００９】また、諸課題解決のために車軸及びデフが創設する回転軸を発電機及び充電器の可動部品として利用することが必要になる【００１０】上述したように自動車が走行しながら電気を確実に供給することが可能となる
【図面の簡単な説明】
【００１１】
【図１】  車軸が回転するのに伴い車輪とオルタネイターが稼働することを表示する配置図
【図２】  車軸が回転するのに伴い発電機と充電器が稼働することを表示する配置図
【図３】  車軸及びデフが創設した回転軸が回転するのに伴い発電機と充電器が稼働することを表示する配置図
【符号の説明】
【００１２】  Ａ、−車輪  Ｂ−車輪  Ｃ−発電機  Ｄ−充電器  Ｅ−エンジン  Ｆ−デフ
Ｇ−回転軸  Ｈ−回転軸懸架部品
【図１】
2009124929.tif 000003
【図２】
2009124929.tif 000004
【図３】
2009124929.tif 000005
(57)【要約】【課題】半導体冷却装置の冷却フィンを車側方向ならびに、天蓋方向の２面を活用することにより、走行風を最大限に活用した走行風自冷方式の構成が可能な点である。【解決手段】熱は上に上昇する原理から半導体の配置を見直し、半導体冷却装置の冷却フィンを車側方向ならびに、天蓋方向の２面を活用することにより、走行風を最大限に活用した走行風自冷方式の構成可能な構造が主な特徴である。屋根置型電気車制御装置用半導体冷却装置は、ファンモータおよびフィルタの保守の増加、ファンモータの回転騒音、ファンモータ用補機電力の増加、風洞配置によるスペースの増大装置機構の複雑化などの問題が無く、スペースの有効利用した構造である。【選択図】図２
2009124038.tif 000002
【特許請求の範囲】
【請求項１】
車両の屋根置型電気車制御装置の半導体冷却装置において、熱の対流方向、走行風の均等利用、装置構成、保守性を考慮して自冷式の冷却フィンの包絡面積を最大限に活用する手段として、半導体冷却装置の冷却フィンを車側方向ならびに、天蓋方向の２面に配置したことを特徴とする屋根置型電気車制御装置用半導体冷却装置
【発明の詳細な説明】
【技術分野】
【０００１】
本発明は、屋根置型電気車制御装置用半導体冷却装置に関するものである。
【背景技術】
【０００２】
従来、屋根置型電気車制御装置用半導体冷却装置平面配置の冷却装置では、放熱面積の確保が不十分であり、結果的に、強制風冷方式などの選択により構成していた。
【０００３】
しかし、強制風冷方式では、ファンモータおよびフィルタの保守の増加、ファンモータの回転騒音、ファンモータ用補機電力の増加、風洞配置によるスペースの増大装置機構の複雑化などの問題があった。
【０００４】
この改善策として、半導体冷却装置の冷却フィンを車側方向ならびに、天蓋方向の２面を活用することにより、走行風を最大限に活用した走行風自冷方式の構成が可能である。
【特許文献１】特許公開２００６−３０６３９９
【発明の開示】
【発明が解決しようとする課題】
【０００５】
解決しようとする問題点は、半導体冷却装置の冷却フィンを車側方向ならびに、天蓋方向の２面を活用することにより、走行風を最大限に活用した走行風自冷方式の構成が可能な点である。
【課題を解決するための手段】
【０００６】
請求項１の発明によれば、車両の屋根置型電気車制御装置の半導体冷却装置において、熱の対流方向、走行風の均等利用、装置構成、保守性を考慮して自冷式の冷却フィンの包絡面積を最大限に活用する手段として、半導体冷却装置の冷却フィンを車側方向ならびに、天蓋方向の２面に配置したことを特徴とする。
【０００７】
すなわち、熱は上に上昇する原理から半導体の配置を見直し、半導体冷却装置の冷却フィンを車側方向ならびに、天蓋方向の２面を活用することにより、走行風を最大限に活用した走行風自冷方式の構成可能な構造が主な特徴である。
【発明の効果】
【０００８】
本発明の屋根置型電気車制御装置用半導体冷却装置は、ファンモータおよびフィルタの保守の増加、ファンモータの回転騒音、ファンモータ用補機電力の増加、風洞配置によるスペースの増大装置機構の複雑化などの問題が無く、スペースの有効利用した構造である。
【発明を実施するための最良の形態】
【０００９】
屋根置型電気車では車体の側面にはカウルがあり、大きなフィンを取付けできないが、放熱は上に上昇する特性を生かし、半導体を上部に配置して、放熱効果を良くする。
【００１０】
図１は、本発明装置の外観を示すものである。図１、図２において、１は車体、２はカウル、３は屋根置型電気車制装置、４は天蓋部放熱フィン、５は車側部放熱フィン、６は冷却ブロック、７は半導体を示す。
【００１１】
半導体7の放熱が上に上昇し、上部に設置した冷却ブロック６を伝って天蓋部放熱フィン４で放熱し、上部を流れる走行風を取り入れ冷却ができる。また、車側部放熱フィン５はカウル２との間が風洞となるため、冷却効果がある。
【図面の簡単な説明】
【００１２】
【図１】屋根置型電気車制御装置の外観図である。
【図２】屋根置型電気車制御装置の放熱フィン部を示した説明図である。
【符号の説明】
【００１３】
１    車体
２    カウル
３    屋根置型電気車制御装置
４    天蓋部放熱フィン
５    車側部放熱フィン
６    冷却ブロック
７    半導体
【図１】
2009124038.tif 000003
【図２】
2009124038.tif 000004
(57)【要約】      （修正有）【課題】可搬性に優れたフルサイズの入力デバイスを提供する。【解決手段】フルサイズのキーボードを中央で分割して、背面に左右対に配置することで、両手に持ちながらの状態であっても、フルサイズキーボードと同じ配列を維持しつつ文字入力することができる様になり、従来からあったモバイル環境下での文字入力の煩雑さを解消する。また、キーボード自体をコンパクト化できる。【選択図】図１
2009230734.tif 000002
【特許請求の範囲】
【請求項１】
フルサイズの英語もしくは日本語キーボードの文字入力部の中央で分割し、このデバイスに正対して背面に、左右対に配置された形態を有する入力デバイス。
【請求項２】
上記のキー配列において、分割されたキーの、Ｔ行（左手側）は右側、Ｙ行（右手側）は左側が上方向となっており、キー配列上部のところで対になっている請求項１記載の入力デバイス。
【請求項３】
このデバイスは透過性の筐体であり、背面に配置されたキーボードおよび、入力作業のキーストロークが透過して正面から見える様になっている請求項１又は２記載の入力デバイス。
【請求項４】
利用シーンによって、このキーボード自体が半分に分かれ、携帯電話やＰＤＡ（Ｐｅｒｓｏｎａｌ  Ｄｉｇｉｔａｌ  Ａｓｓｉｓｔａｎｔｓ）、リモコン等を挟み込んで入力操作ができる形態を有している請求項１又は２、３記載の入力デバイス。
【発明の詳細な説明】
【技術の分野】
【０００１】  本発明は、コンピューターの入力デバイスであるキーボードを背面にバタフライ型に配置する事で、キーボード自体の可搬性を高めるためのものである。
【背景技術】
【０００２】  元来、携帯電話の文字入力は、数字キー（テンキー）を主体すとすることが多く、入力作業が繁雑になりやすかった。また、ＰＤＡ等での入力操作においても、タッチペンでの入力が限度であり、フルサイズのキーボード入力を実現するものにあっても、キー配列の問題からキーサイズが小さくならざるを得ず、ここにおいても、ブラインドタッチによるキー入力作業は、非常に困難であった。
【特許文献】  特開２００６−２６８８１９号公報  特開２００６−２３８３９５号公報  特開２００１−１７５３９２号公報
【発明の開示】
【発明が解決しようとする課題】
【０００３】  上記の様な現状を踏まえ、主に、携帯電話やＰＤＡ等のモバイル環境での、文字入力作業を改善する、可搬性に優れたフルサイズの入力デバイスを提供するものである。
【発明を解決するための手段】
【０００４】  この課題を解決するために、請求項１を主体とする発明を提案する。
【０００５】  まず、フルサイズキーボードにおける、テンキーを省くキーは配列のうち、英字ＱＷＥＲＴＹ配列の数字キーを含む上４列を裏側に配置する。
【０００６】  この時の配置は請求項２の通り、ＱＷＥＲＴＹ配列の５ＴＧＢおよび６ＹＨＮのパートを縦に分割し、デバイスに正対し状態から５ＴＧＢ側を左９０度、６ＹＨＮ側を右９０度に回転させて裏側に配置している。
【０００７】  この際、分割されたキーのＴ行（左手側）は右、Ｙ行（右手側）は左側を上方向とし、Ｔ行とＹ行の上部はバタフライ型に対になっている。こうすることで、フルサイズのキーボードをＣＤケース大までのサイズに落とし込む事が可能となる。
【０００８】  また、請求項３の通り、このデバイスは透明であり、裏側に配置されたキーが、デバイスに正対した状態で確認できるようになっており、併せて、キーストロークの状態も確認できる様になっている。
【０００９】  また、応用例として、請求項４の通り、このキーボードが携帯電話やＰＤＡのドッキングステーションになったり、キーボード自体が中央から二つ分割され、携帯電話やＰＤＡを挟み込むようにして使用する形態も考えられる。
【発明の効果】
【００１０】    フルサイズのキーボードを縦に分割して、背面に配置する事で、ブラインドタッチのままでの文字入力を行うことができる。このことにより、携帯電話やＰＤＡ等のモバイラーのキー入力を劇的に改善する事ができる。
【００１１】  また、請求項５の通り、キーが背面に配置されることで、キーボードを両手で握るように持つことになるので、モバイル環境において、携帯電話やＰＤＡ、リモコンと干渉せず、また、キーボード自体の可搬性も高める事ができる。
【００１２】  ポインティングデバイスとキーボードを融合させることにより、副次的に外付けのポインティングデバイスを不要化する事ができる。
【発明を実施するための最良の形態】
【００１３】  この入力デバイスにおいて、Ｆ１〜Ｆ１２までのファンクションキーはデバイスに正対して上方の側面に配置するか、デバイス正面の上部に配置するものとし、ＥｎｔｅｒおよびＴａｂキーは左右側面に配置するものとする。【００１４】  スペースキーおよびＣｏｍｍａｎｄ、Ｏｐｔｉｏｎ、Ｓｈｉｆｔ（Ｃｔｒｌ、Ａｌｔ、Ｓｈｉｆｔ）等のコンビネーションキーと、文字入力以外の記号キーは、デバイスに正対して正面の下部等に配置するものとするし、配列はスペースキー、記号キー２段という配列にする。【００１５】  矢印キー４つは、十字キーとして一体化しており、キー配列の空いている、正面右下の部分に配置するものとする。【００１６】  また、キー配列はデバイスのサイズおよび、利用形態によって興なり、すべてが上記の原則に当てはまるとは限らない。【００１７】  ポインテングデバイスとなる部分は、デバイスに正対して正面に配置されており、トラックボールの形態を取るか、場合によっては、タッチパッド、ジョイスティック、トラックポイントの形態を取る事もある。【００１８】  表面のキーボード配列の表記は、ＬＥＤもしくは有機ＥＬのバックライトが仕込まれており、キー入力時に明るさが増すことで、入力操作を確認できるようになっている。【００１９】  このデバイスは、Ｂｌｕｅｔｏｏｔｈ等のワイヤレス無線もしくは、ＵＳＢケーブル等での接続形態を取り、形態によっては、５ＴＧＢ配列と６ＹＨＮ配列の部分が左右に分割され、携帯電話やＰＤＡのデバイスを挟み込める様にする事が可能で、ワイヤレス接続の場合は、内蔵のバッテリー、ＵＳＢ接続の場合は、バスパワーで電源供給するものとする。
【産業上の利用可能性】
【００２０】  本発明は、キーボード、透明な本体、ＬＥＤもしくは有機ＥＬ等のバックライト、Ｂｌｕｅｔｏｏｔｈ等のワイヤレス無線技術、リチャージブルバッテリー等、既存の工業製品で構成されており、産業上の利用可能性を有する。
【図面の簡単な説明】
【００２１】
【図１】  この入力デバイスの一形態を示したもの、図面１正面図である。
【図２】  この入力デバイスの一形態を示したもの、図面２背面図である。なお、キー配列は、Ｍａｃｉｎｔｏｓｈのものを使用している。
【図１】
2009230734.tif 000003
【図２】
2009230734.tif 000004
(57)【要約】      （修正有）【課題】インターネットオークションで、出品者は出品時の項目に出品した商品を売ってもいいと思う最低の金額を入力し出品をするが、入札者がその金額に達していなくても入札者が入札している現在の価格で指値終了可能なシステムを提供する。【解決手段】下記の手段により、その入札金額に出品者が指値早期終了を可能とするコンピューターによる演算プログラムを構築する。（１）予め出品者は出品画面に指値早期終了を可能とする項目を設定して出品する。（２）落札者はその趣旨を理解して入札を行なう。（３）出品者は入札者の入札金額に指値をして早期終了する。（４）プログラムがその金額を演算して双方の取引を可能とする。【選択図】なし【特許請求の範囲】
【請求項１】
コンピューターネットワークを介してのオークションシステムであって、出品者が出品時に１円からスタートして、商品を売ってもいいと思う金額を入力し出品する手段と入札者がその出品に入札する手段とその入札額に対して出品者が指値早期終了を行う手段を特徴としたオークション早期終了システム。
【請求項２】
コンピューターネットワークを介してのオークションシステムであって、出品者が出品時に１円からスタートして、商品を売ってもいいと思う金額を入力し出品する手段と入札者がその出品に入札する手段とその入札額に対して出品者が指値早期終了を行う手段を特徴とし、その手段にサイト運営者側が課金を演算する手段を特徴としたたオークション早期終了システム。
【発明の詳細な説明】
【発明の詳細な説明】
本発明はインターネットオークションの落札システムに関する。インターネットオークションで、出品者は出品時の項目に出品した商品を売ってもいいと思う最低の金額を入力し出品をするが、入札者がその金額に達していなくても入札者が入札している現在の価格で指値終了可能なシステムを提供するものである。
【技術分野】インターネットオークションで、出品者は出品時の項目に出品した商品を売ってもいいと思う金額を入力し出品をするシステムがあり、入札者が入札して、入札額がそれ以上の金額に達していなければ売買は成立しないシステムである。
【発明が解決しょうとする課題】
現在、インターネットオークションでは出品者が予め出品時の項目に出品した商品を売ってもいいと思う金額を入力し出品をしているが、落札者の入札がその金額に今一歩のところまで入札されている場合があるが、その場合は予め設定した金額に届かない為に取引が不成立に終わる場合が多い、しかしながら、出品者はその入札者の価格で販売しても良いと思う場合が多々あるが、従来のインターネットオークションではそのシステムが提供されていなく利便性の悪さを感じている。
【課題を解決するための手段】
よって本発明はその利便性の悪さをなくし、落札者が入札額に指値早期終了して、より利便性の高いシステムを提供する。
【課題を解決するための手段】
インターネットオークションでの出品者は出品時に終了日時を選択したり、出品した商品を１円からスタート設定し、売ってもいいと思う希望金額を入力し出品を行なっている。この希望金額は入札者にはわからないシステムである。
入札者がその希望金額以上に達していなくても入札者が入札している価格で出品者が指値早期終了可能なシステムを提供する。
【実施例】例えば出品者が１円からスタート設定して、１万円以上になれば販売しても良いと設定している場合は、これを超えない限り取引は成立しない。しかしながら、入札者が９８００円まで入札してくる場合があり、出品者は多少の損失（差額２００円）なら販売したいと思っている。したがって、本発明はその入札金額に出品者が指値早期終了を可能とするコンピューターによるプログラムを構築して早期取引を可能とする。
（１）予め出品画面に指値早期終了を可能とする項目を設定して出品する。
（２）落札者はその趣旨を理解して入札を行なう。
（３）出品者は入札者の入札金額が販売しても可能な額ならその金額に指値をして早期終了する。
（４）プログラムがその金額を演算して双方の取引を可能とする。
請求項２においては。
（１）予め出品画面に指値早期終了を可能とする項目を設定して出品する。
（２）その利用料に対してサイト運営者側は利用料を設定して演算徴収する。
（２）落札者はその趣旨を理解して入札を行なう。
（３）出品者は入札者の入札金額が販売しても可能な額ならその金額に指値をして早期終了する。
（４）プログラムがその金額を演算して双方の取引を可能とする。
【発明の効果】
この発明により、オークションサイトにも取引数をアップさせ、繁栄をもたらし、出品者・落札者ともに売買が活発となり多大なメリットがある。
(57)【要約】【課題】自動販売機の飲料缶を使い身近に商品を購入できるようにする又、他企業の商品の宣伝にもなり利益にも繋がる【解決手段】缶本体２の中に企業の商品を入れてフタ３で閉じて販売するその為、メーカーや商品を販売する企業と契約を行う【選択図】図２
2009230730.tif 000002
【特許請求の範囲】
【請求項１】
自動販売機の飲料缶の中に他の商品等を入れ販売を行う
【発明の詳細な説明】
【発明の詳細な説明】
【発明が解決しようとする課題】
【０００１】企業の商品等をより身近で購入できサンプル感覚で購入したい
又、企業の宣伝や利益に繋げたい
【課題を解決するための手段】
【０００２】現在、どこにでもある自動販売機の缶２の中に商品等を入れ販売する
その為、販売機メーカーや商品を販売する企業との契約が必要
【発明の効果】
【０００３】使用する缶はリサイクルが出来る
メディアが手軽に購入でき又、企業の宣伝効果や利益にも繋がる
【図面の簡単な説明】
【図１】自動販売機の図である
【図２】商品等を入れる缶をしめす図である
【符号の説明】
１    自動販売機
２    商品等を入れる缶
３    缶を閉じるキャップ（ふた）
【図１】
2009230730.tif 000003
【図２】
2009230730.tif 000004
(57)【要約】【課題】ＱＲコード画像の中に、利用者の関心を高めるために、あらかじめデザインした画像を表示させるようにする。【解決手段】ＱＲコード画像作成過程では、格納データビット列をセットした後に排他的論理和によって、特定パターンのマスクをかける仕様となっている。１つのマスクパターンを固定し、あらかじめデザインした画像のバイナリデータにそのマスクをかけたバイナリデータを格納データとし、同じマスクパターンを指定してＱＲコードを完成させる。この作成方式によれば、同一マスクパターンの排他的論理和が２回とられるので元データが復元され、完成したＱＲコード画像上に元のデザイン画像が表示される。【選択図】図１
2009230729.tif 000002
【特許請求の範囲】
【請求項１】
あらかじめデザインされた画像のデータをＱＲコードの情報記録領域内に記録し、その画像を表示するＱＲコードの作成方法。
【請求項２】
前記表示画像を部分修正する請求項１記載のＱＲコードの加工方法。
【請求項３】
前記表示画像をカラー化する請求項１記載のＱＲコードの加工方法。
【発明の詳細な説明】
【技術分野】
【０００１】本発明は、ＱＲコード画像の中にあらかじめデザインした画像を表示させるＱＲコードの作成方法およびその加工方法に関するものである。
【背景技術】
【０００２】従来のＱＲコードの作成方法は、２次元の情報記録領域にデータビット列を格納した後、特定パターンのマスク処理を適用し完成させる仕様になっている。その仕様では、定められた８種類のマスクパターンの中から１つずつマスク処理を適用し明暗モジュールの配分率の評価を行い、評価失点が最小となるマスクパターンを１つ選ぶこととされている。ここで、マスク処理の適用とは、二次元的な記録データビット列とマスクパターンビット列の排他的論理和を取ることである。【０００３】なお、携帯電話などに組み込まれているＱＲコードの読取り及び解読処理においては、セットされているマスク番号に対応するマスクパターンを用いて、マスク処理を適用した後に格納データを取り出しており、特に明暗モジュールの配分率の再評価を行なっているわけではない。
【発明の開示】
【発明が解決しようとする課題】
【０００４】従来のＱＲコード画像は、無機的な２次元のドットパターンで構成され、視覚に訴える要素は少ないため、ＱＲコード画像の中にあらかじめデザインした画像を表示させる。
【課題を解決するための手段】
【０００５】上記の課題を解決するために、図２に示す手順でＱＲコードを作成する。
先ず、ＱＲコードの２次元の情報記録領域部に画像をドット絵としてデザインする（Ｓ１０）。次に、ＱＲコードのマスク番号を１つ固定し、その番号のマスクパターンと上記２次元画像ドットパターンとの排他的論理和をとる（Ｓ２０）。作成された排他的論理和画像に対し、ＱＲコード情報記録領域部からバイナリデータを抽出する（Ｓ３０）。そのバイナリデータの先頭部もしくは内部にＵＲＬなどの文字データを埋め込む（Ｓ４０）。Ｓ４０で作成されたデータを最終的なバイナリの記録データとし、マスク番号をＳ２０で定めたものと同じにしてＱＲコードを作成する（Ｓ５０）。【０００６】従来のＱＲコードの作成時には、８種類のマスクパターンの中から明暗モジュールの配分率の評価を行なって使用する１つのマスク番号を決定していた。しかし携帯電話などに組み込まれているＱＲコードの読取り及び解読処理においては、特に明暗モジュールの配分率の再評価は行なわれていないため、従来の方式に拘わらずあらかじめ固定したマスク番号を用いて作成しても、ＱＲコードの読取り及び解読に支障はない。【０００７】上記の方法で作成されたビジュアルなＱＲコードでは、Ｓ４０で埋め込む文字データの量が多い場合は、表示されるデザイン画像の一部を破壊する場合がある。この場合でも、ＱＲコードの誤り訂正能力範囲内で、破壊されたデザイン画像の一部を手作業によって修正することができる。【０００８】また、ＱＲコード画像は明暗モジュールによって表現されるので、明モジュールを白や薄い灰色などの薄い色とし、暗モジュールを黒や赤、緑、青などの濃い色としてデザイン画像を着色することができる。
【発明の効果】
【０００９】視覚に訴えることにより利用者の関心を引くため、携帯電話等によるＱＲコード読取りアクセス率は向上する。
【発明を実施するための最良の形態】
【００１０】ＵＲＬなどの文字データを格納したビジュアルなＱＲコードを作成した後、文字データによりデザイン画像が破壊され見栄えが悪くなった場合は、誤り訂正能力範囲内で手作業によって画像を修正する。見栄えにそれほど影響がない場合は修復は不要である。さらにデザイン画像を際だたせるために、ビジュアルなＱＲコードの明暗モジュールの明モジュールに白や薄い灰色などの薄い色を用い、暗モジュールに黒や赤、緑、青などの濃い色を用いて、手作業もしくはコンピュータ処理により着色し、ビジュアルなＱＲコードをカラー化する。
【実施例１】
【００１１】図１は本発明の一つの実施形態である。格納データとして画像バイナリデータ及びＵＲＬを内部に含む、無修正のビジュアルなＱＲコード画像である。
【図面の簡単な説明】
【００１２】
【図１】本発明の一実施形態を示すビジュアルなＱＲコードの画像である。
【図２】ビジュアルなＱＲコードを作成するフローチャートである。
【図１】
2009230729.tif 000003
【図２】
2009230729.tif 000004
(57)【要約】【課題】人口地図では、実際の地形地物を認識しにくく、また地名、ルート等の補助表示の記載、書き込みによって隠される部分が認識できなかった。【解決手段】航空写真または衛星写真１を補助表示の記載した透明なフィルム（自由に書き込み可能）２を重ね合わせることである。【選択図】図１
2009230087.tif 000002
【特許請求の範囲】
【請求項１】
航空写真、衛星写真に地名、ルート等補助表示を記載した透明なフィルムを重ねることを特徴とする地図。
【請求項２】
前記透明なフィルムは、自由に書き込むことができる。
【発明の詳細な説明】
【技術分野】
【０００１】この発明は、航空写真、衛星写真を利用した地図の構造に関する。
【背景技術】
【０００２】従来は人工地図に地名、ルートなどの補助表示がしてあり、平面図のため実際の地形地物を認識しにくくまた、表示があるため見えにくくしている。
【発明の開示】
【発明が解決しようとする課題】
【０００３】従来の技術によれば、実際の地形地物の形状、色等が正しく表現されていない場合があり、また、地名や詳細情報等の補助表示により、任意の地形が隠れて認識しにくく、また地図上に書き込むと後に残り、書いた部分も認識しにくくなるという難点があった。
本発明はこの課題を解消するためのものである。
【課題を解決するための手段】
【０００４】以上の課題を解決するために、第一発明は、航空写真、衛星写真を利用することで、実際の地形地物の形状の認識できるようにし、また第二発明は、その上に、地名、ルート等補助表示をした透明なフィルムを重なり合わせることで、表示によって隠れる部分がなくなり、またそのフィルムに書き込めることを特徴とする地図である。
【発明の効果】
【０００５】第一発明、第二発明によれば、実際の地形地物の形状が認識しやすく、表示、書き込みなどによって隠れてしまう部分がなくなり、見やすい。
【発明を実施するための最良の形態】
【０００６】この発明の一実施形態を、図１に示す。
航空写真、衛星写真などを映し出し１、透明のフィルム２に映し出された写真の補助表示を記載する。映し出された写真１の上に記載したとうめいのフィルム２を重ねる。
【図面の簡単な説明】
【０００７】
【図１】この発明の一実施形態を示す斜視図である。
【符号の説明】
【０００８】１  航空写真又は衛星写真
２  地名、ルート等補助表示を記載した透明なフィルム
【図１】
2009230087.tif 000003
(57)【要約】      （修正有）【課題】傘をテーブルやカウンターなどに引っかけておく場合、落下や転倒を防止するために、傘の柄の先端に設置するゴム状の滑り止めキャップを提供する。【解決手段】傘の柄１の先端にゴム状の滑り止めキャップ２を取り付ける。キャップ先端の接地面３には溝を設け、傘の落下・転倒防止を特徴とする。【選択図】図１
2009165837.tif 000002
【特許請求の範囲】
【請求項１】
傘の柄（１）の先に取り付けるゴム状の滑り止めキャップ
【発明の詳細な説明】
【技術分野】
【０００１】この発明は、傘をテーブルやカウンター等に引っかけて置く場合の滑り止めに関するものである。
【背景技術】
【０００２】従来、傘の柄の先はプラスティック製や木製が多く、丸みを帯びていた。
【発明の開示】
【発明が解決しようとする課題】
【０００３】これは、次のような欠点があった。
従来、傘を外出先などのテーブルやカウンターなどに引っかけたり、立てかけて置いておくと、滑って落ちてしまう。濡れた傘が床に転び困ることが多かった。
本発明は、以下のような欠点をなくすためになされたものである。
【課題を解決するための手段】
【０００４】傘の柄（１）の先端にゴム状の滑り止めキャップ（２）を取り付ける。キャップ先端の接地面（３）には溝を設ける。
本発明は、以上の構成によりなる傘の転倒を防止する滑り止めである。
【発明の効果】
【０００５】傘の柄の先が滑らないので、カフェ等のテーブルやカウンターに一時的に引っかけて置く場合、落下や転倒を防ぐごとができる。小さな用具を取り付けるだけなので、傘の使用時や持ち歩きにはなんら支障がない。また、着脱が簡単なため、別の傘に取り付けることも容易にできる。
【発明を実施するための最良の形態】
【０００６】以下、本発明を実施するための最良の形態について説明する。
傘の柄（１）の先端に合わせたサイズのゴム状の滑り止めキャップ（２）である。
キャップ先端の接地面（３）には溝を設け、滑り止めの効果の向上を図る。
本発明は、以上のような構造である。
【図面の簡単な説明】
【０００７】
【図１】本発明の斜視図である。
【符号の説明】
【０００８】１  傘の柄
２  ゴム状の滑り止めキャップ
３  キャップ先端の接地面
【図１】
2009165837.tif 000003
(57)【要約】【課題】  小型カメラには、三脚があり、自由に写真が撮れたが、携帯電話にカメラがついても、三脚に代わる物が無くてセルフタイマーで撮りにくい、又小型カメラでも三脚は手軽に持ち運びにくい。【解決手段】  ポケットサイズの台で、挟んで動かすとか、挟んだ円形の物を動かしてとかで、角度を変えて、小型カメラのセルフタイマーで写真を撮ることが出来る。【選択図】図１
2009165093.tif 000002
【特許請求の範囲】
【請求項１】
台を上下に動かして、携帯電話の角度を自由に動かす方法。
【請求項２】
携帯電話を半円形の物を利用して前後に回して、角度を自由に動かす方法。
【請求項３】
携帯電話を挟んで固定する方法。
【発明の詳細な説明】
【技術分野】
【０００１】  本発明は、カメラ付携帯電話で写真を撮ることに関する。
【背景技術】
【０００２】  カメラには、三脚がありセルフタイマーで写真を撮ることが出来るが携帯電話には三脚がつかなく、セルフタイマーで写真を撮ることが出来ない。
【発明の開示】
【発明が解決しようとする課題】
【０００３】  携帯電話の置き方が縦でも横でも角度を自由に固定し、写真をセルフタイマーで撮ることができるものである。
【課題を解決するための手段】
【０００４】  携帯電話を半円形の物で鋏む方法で、固定し、縦置きでは台を上下に動かし、横置きでは携帯電話を前後に回して、カメラの角度を自由に変えて、セルフタイマーで写真を撮ることを目的とするものである。
【発明の効果】
【０００５】  小型、軽量で持ち運びが容易で、一人で手軽に携帯電話で写真が撮れることを可能にする。
【図面の簡単な説明】
【０００６】
【図１】携帯電話を縦置き、台を上下に動かして、カメラの角度を変える。
【図２】携帯電話を横に置き、携帯電話を前後に回してカメラの角度を変える。
【図３】横面図
【図４】正面図
【図１】
2009165093.tif 000003
【図２】
2009165093.tif 000004
【図３】
2009165093.tif 000005
【図４】
2009165093.tif 000006
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
小型カメラを挟んで、動かして角度を変えて、セルフタイマーで写真を撮る方法。
【手続補正２】
【補正対象書類名】明細書
【補正対象項目名】全文
【補正方法】変更
【補正の内容】
【発明の詳細な説明】
【技術分野】
【０００１】  本発明は、小型カメラで写真を撮ることに関する。
【背景技術】
【０００２】  カメラには、三脚がありセルフタイマーで写真を撮ることが出来るが携帯電話には三脚が無いのと、小型カメカメラでも三脚は、小型軽量でなく手軽に持ち運びがしにくい。
【発明の開示】
【発明が解決しようとする課題】
【０００３】  ポケットサイズで持ち運びがしやすく、小型カメラで角度を自由に変えて、セルフタイマーで写真を撮ることができる物。
【課題を解決するための手段】
【０００４】  小型カメラを半円形の物で鋏む方法とか、円の物で挟んで固定して、円などを利用して回し、小型カメラの角度を自由に変えて、セルフタイマーで写真を撮ることを目的とするものである。
【発明の効果】
【０００５】  小型、軽量で持ち運びが容易で、一人で手軽にセルフタイマーで、写真が撮れることを可能にする。
【図面の簡単な説明】
【０００６】
【図１】小型カメラを前後に回して、角度を変える。
【図２】台を前後に回して、小型カメラの角度を変える。
【図３】上だけ円で小型カメラを前後に回して、角度を変える。
【図４】針金等で挟んで小型カメラを動かして、角度を変える
【符号の説明】
【０００７】（１）本発明の台  （２）小型カメラ
【手続補正３】
【補正対象書類名】図面
【補正対象項目名】全図
【補正方法】変更
【補正の内容】
【図１】
2009165093.tif 000007
【図２】
2009165093.tif 000008
【図３】
2009165093.tif 000009
【図４】
2009165093.tif 000010
(57)【要約】      （修正有）【課題】床タイル面のワックス等を効果的に剥離除去することが出来る装置及び方法を提供する。【解決手段】特殊樹脂ブラシ１を使用することで床のワックスを剥離する手段と、ブラシの回転するときにブラシの角度を変えることにより剥離の状態をムラ無く安定したより良い結果ができる剥離除去装置、及び核装置を用いた剥離方法。【選択図】図１
2009165606.tif 000002
【特許請求の範囲】
【請求項１】
床面の付着物に6枚から全面ブラシを回転させ及核付着物を剥離除去装置
【請求項２】
6枚から全面ブラシを斜めに配置する事により剥離された不着物を端に集める事に後方に設けた吸引口に吸引しやすくなる。
【請求項３】
ブラシの角度を変えることにより剥離状態をムラ無く安定した状態にする。
【請求項４】
ブラシの長さを変え又回転力により剥離にムラが無くなる。  
【請求項５】
ブラシの材質は砥粒（シリコンカーバイド）・アルミナ・ダイヤモンド入り。  線径φ0.5〜φ１  ブラシロー外径φ100mm〜φ300mm  ブラシ幅  300mm〜600  回転数  900r/min〜2000r/min
【請求項６】
請求項1〜３の何れかに記載する剥離除去装置を用い、平均900ｒ/min
〜2000r/min及び遠心力がタイル面のワックスに叩きつける事によって、タイル面のワックスを剥離除去することを特徴とするワックス剥離除去方法。
【発明の詳細な説明】
【技術分野】
【０００１】
本初発明は、床面や路面の付着物を容易に効果的に剥離して除去することがでる装置と方法に関する。特に床面になどに付着したワックスを薬品・洗剤・水を使用せずに効果よく除去できる乾式の剥離除去装置と方法に関する。
【背景技術】
【０００２】
従来は、剥離除去には薬品、洗剤、水を使用し床面の付着物を除去する方法を用いている。
【０００３】
床面や路面の清掃手段として、砥粒入りブラシを回転式によって床面や路面の付着物や汚れを剥離する移動式のプラスト装置。これらの剥離した付着物を回収する手段を有し、吸引口が床面を移動するように構成されて、剥離物を吸引して除去する装置である。
【０００４】
上記剥離装置は床面等の付着物や汚れを水や薬物や洗剤を用いずに除去することが出来る利点を有しているが、ブラシを回転させる事によって、除去効果が大きく異なり、床面等の状態によっては、回転数を多くする事や回転力やブラシの材質によって、床面の材質の汚れの効果が除去できる。
【０００５】
また、従来、プラスチェックタイル等に付着したワックスを剥離するには、洗剤及び強アルカリ性部質を主体とする薬剤を散布して、ワックスを変質させ、剥離液を散布して放置し、その後剥離したワックスを剥離剤と共に除去する。その後水と洗剤で床を洗浄し洗剤水を回収し、その為、処理時間がかかり、作業手順が煩雑であるなどの問題がある。当発明の方法は一方回転ブラシは乾式装置で作業時間の短縮と人員が少数ですむ。
【発明の開示】
【発明が解決しようとする課題】
【０００６】
本発明は、従来の剥離方法における上記問題を解決したものであり、床面の付着物や汚れに対する除去効果が水及び薬品、洗剤を使用せず剥離できる装置と方法を提供する事を目的とする。
【課題を解決するための手段】
【０００７】
本発明によれば以下の構成からなる剥離装置と方法が提供できる。
（１）床面の付着物にブラシを回転し剥離除去する装置であって、剥離したワックスを吸引して回収する特徴とする剥離除去装置。
（２）ブラシボックスがアヒルの口型の形状を有しており、ブラシボックスの前面にブラシが設けられている。上記（１）の剥離除去装置。
（３）ブラシ、モーター、吸引口がブラスト室に一体に取り付けられている。ブラシが斜めに進行方向に向かって設置されており、その事により付着物が一ヶ所に集める事ができ、剥離されたワックスを容易に後方の吸引口が設置されている上記（１）、（２）の剥離除去装置。
（４）請求項１〜５の何れかに記載する剥離除去装置を用い、回転数900r/min〜2000r/min、をワックスに叩きつける事により、タイル面のワックスを剥離除去することを特徴とするワックス剥離除去方法。
【発明の効果】
【０００８】
本発明の剥離除去装置の回転式ブラシは斜めになっているブラシが設置されていて、ボックスを有している為床面から跳ね返る付着物を回収できる効果が優れている。
【産業上の利用可能性】
【０００９】
図１に示すように、  本発明の剥離除去装置は、ブラシを回転する手段１と剥離した付着物を吸引して回収する手段３と、モーター２と、床面を覆うブラスト室６を備えている。
一方回収手段３には吸引ダクト４と、ダクトとの下には、フイルター５、ダストボックス７が設けられている。
【００１０】
ブラシ１はベルト８からモーター２へ接続している。
【００１１】
ブラシ１は6枚設置され、其の内の数枚は斜めに装着されており、図２の軸受けベアリング８に接続されている。
【００１２】
ブラシ１から剥離された付着物は吸引ダクト３によりダクト室に回収され、フイルター５を通ってダクトボックスに回収される。
【００１３】
その他剥離除去装置には走行制機構、回転式ブラシの機構、吸引回収手段の機構が設けられこれらの機構を自動制機構する。なおブラシの材質、硬度により剥離する付着物と床面の材質の状態に応じて適切な条件のものを選択する事ができる。
【００１４】
剥離除去装置を用い、例えば、平均900r/minをワックスに回転させる事によって、床面のワックスを効果的に剥離除去することができる。従来の剥離装置は洗剤、薬品、水を使用することは技術の差が出るので、きれいに除去できないが、本発明の剥離除去装置によれば、技術的な差がでず床面のワックスを効果的に除去することができる。
【図面の簡単な説明】
【００１５】
【図１】本剥離除去装置の全体を示す概略図
【図２】本除去装置のブラシ設置の平面図
【符号の説明】
【００１６】
１−剥離特殊樹脂ブラシ  ２−モーター  ３−吸引ダクト  ４−回収室  ５−フイルター  ６−ブラント室  ７−ダクトボックス  ８−ベルト  ９−タイヤ  １０―軸受ベアリング
１１−プーリー  １２−回転ブラシ用モーター
【図１】
2009165606.tif 000003
【図２】
2009165606.tif 000004